【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  データベースのためのタクソノミを生成するシステムであって、
テキストの複数の片、及び上記テキストの片から抽出された複数のフレーズを含むデータベースを備え、
同じテキスト片における及び複数のテキスト片全体にわたる上記抽出されたフレーズ間の関係を決定するために上記複数のテキスト片から抽出されたフレーズをクラスタ化する手段を更に備え、
上記データベース内のクラスタ化されたフレーズからリーダーフレーズを識別する手段を更に備え、上記リーダーフレーズは、上記データベース内の所定数の他のフレーズに関連付けられており、
上記識別されたリーダーフレーズに基づいて第１のレベルのタクソノミを生成する手段を更に備え、上記リーダーフレーズは、階層状トピカルアウトライン内の第１のレベルの見出しを形成しており、
上記リーダーフレーズに関連付けられている上記データベース内のフレーズに基づいて第２のレベルのタクソノミを生成する手段を更に備え、上記フレーズは、それらが関連付けられている上記リーダーフレーズの下の副見出しであり、上記タクソノミは、ユーザが最終タクソノミを使用して上記データベースを通して探索するように、上記データベース内のテキストの片から抽出されたフレーズを表している、
ことを特徴とするシステム。
【請求項２】  上記タクソノミをトピカルライブラリと組合せて最終タクソノミを形成する手段を更に備え、上記最終タクソノミは、ユーザが上記最終タクソノミを使用して上記データベースを通して探索するように、上記データベース内のテキストの片から抽出されたフレーズを表していることを特徴とする請求項１に記載のシステム。
【請求項３】  上記第１のレベル及び第２のレベルのタクソノミを生成する手段は、１つまたはそれ以上のテキスト文書のセットをパージングして各文書から１つまたはそれ以上のフレーズを抽出する手段と、上記１つまたはそれ以上のテキスト文書から１つまたはそれ以上のフレーズを処理するためにクラスタ化して上記抽出されたフレーズ間の関係を生成する手段と、上記抽出されたフレーズ及び上記抽出されたフレーズ間の関係に基づいて上記テキスト文書セットについて固有の最終タクソノミを生成するタクソノミを生成する手段とを含むことを特徴とする請求項１に記載のシステム。
【請求項４】  １つまたはそれ以上のソフトウェアアプリケーションを更に備えることを特徴とする請求項１に記載のシステム。
【請求項５】  最終タクソノミをポピュレートする手段であって、それにより、上記データベースからの１つまたはそれ以上のテキストが上記第１のレベル及び第２のレベルのタクソノミに結合されている手段を更に備えることを特徴とする請求項１に記載のシステム。
【請求項６】  データベースのためのタクソノミを生成する方法であって、
データベース内に格納されているテキストの複数の片、及び上記テキストの片から抽出された複数のフレーズを処理するステップを含み、
同じテキスト片における及び複数のテキスト片全体にわたる上記抽出された複数のフレーズ間の関係を決定するために上記複数のテキスト片から抽出されたフレーズをクラスタ化するステップを更に含み、
上記データベース内のクラスタ化されたフレーズからリーダーフレーズを識別するステップを更に含み、上記リーダーフレーズは、上記データベース内の所定数の他のフレーズに関連付けられており、
上記識別されたリーダーフレーズに基づいて第１のレベルのタクソノミを生成するステップを更に含み、上記リーダーフレーズは、階層状トピカルアウトライン内の第１のレベルの見出しを形成しており、
上記リーダーフレーズに関連付けられている上記データベース内のフレーズに基づいて第２のレベルのタクソノミを生成するステップを更に含み、上記フレーズは、それらが関連付けられている上記リーダーフレーズの下の副見出しであり、上記タクソノミは、ユーザが最終タクソノミを使用して上記データベースを通して探索するように、上記データベース内のテキストの片から抽出されたフレーズを表している、
ことを特徴とする方法。
【請求項７】  上記タクソノミをトピカルライブラリと組合せて最終タクソノミを形成するステップを更に含み、上記最終タクソノミは、ユーザが上記最終タクソノミを使用して上記データベースを通して探索するように、上記データベース内のテキストの片から抽出されたフレーズを表していることを特徴とする請求項６に記載の方法。
【請求項８】  上記第１のレベル及び第２のレベルのタクソノミを生成するステップは、１つまたはそれ以上のテキスト文書のセットをパージングして各文書から１つまたはそれ以上のフレーズを抽出するステップと、上記１つまたはそれ以上のテキスト文書から１つまたはそれ以上のフレーズを処理するためにクラスタ化して上記抽出されたフレーズ間の関係を生成するステップと、上記抽出されたフレーズ及び上記抽出されたフレーズ間の関係に基づいて上記テキスト文書セットについて固有の最終タクソノミを生成するタクソノミを生成するステップとを含むことを特徴とする請求項６に記載の方法。
【請求項９】  最終タクソノミをポピュレートするステップであって、それにより、上記データベースからの１つまたはそれ以上のテキスト片が上記第１のレベル及び第２のレベルのタクソノミに結合されるステップを更に備えることを特徴とする請求項６に記載の方法。
【請求項１０】  タクソノミを生成するシステムであって、
１つまたはそれ以上のテキスト文書のセットを処理して各文書から１つまたはそれ以上のフレーズを抽出するパーザを備え、
上記１つまたはそれ以上のフレーズを処理して、同じテキスト片における及び複数のテキスト片全体にわたる上記抽出されたフレーズ間の関係を生成するクラスタライザを更に備え、
上記抽出されたフレーズ間の関係のマップを生成するマップ発生器を更に備え、
上記抽出されたフレーズ及び上記マップの上記抽出されたフレーズ間の関係に基づいて上記テキスト文書セットについて固有の最終タクソノミを生成するタクソノミ発生器を更に備え、
１つまたはそれ以上のトピックスの広義の分類を含むトピカル索引を記憶するデータベースを更に備え、
上記タクソノミ発生器は、
上記抽出されたフレーズからリーダーフレーズを識別するリーダーフレーズ識別器を含み、上記リーダーフレーズは、所定数の他のフレーズに関連付けられており、
上記識別されたリーダーフレーズに基づいて第１のレベルのタクソノミを生成するオーガナイザを更に含み、上記リーダーフレーズは、階層状トピカルアウトライン内の第１のレベルの見出しを形成しており、
上記オーガナイザは、上記リーダーフレーズに関連付けられている抽出されたフレーズに基づいて第２のレベルのタクソノミを生成し、上記フレーズは、それらが関連付けられている上記リーダーフレーズの下の副見出しであり、
上記第１のレベル及び第２のレベルのタクソノミを上記トピカル索引と組み合わせて上記テキスト文書セットに固有のタクソノミを形成するコンバイナを更に含む、
ことを特徴とするシステム。
【請求項１１】  最終タクソノミをポピュレートする手段であって、それにより、上記データベースからの１つまたはそれ以上のテキスト片が上記第１のレベル及び第２のレベルのタクソノミに結合される手段を更に備えることを特徴とする請求項１０に記載のシステム。
【請求項１２】  内容から抽出されたリンクしたフレーズを使用してその内容を分類するマルチレベルタクソノミを生成するコンピュータベーステキスト処理システムを備え、上記マルチレベルタクソノミの第１のレベルは、関連する多数のリンクに基づいて上記フレーズから選択されるリーダーフレーズを含み、
上記マルチレベルタクソノミを出力するように動作可能なユーザインターフェイスを更に備え、それにより、ユーザが上記マルチレベルタクソノミの第１のレベルから第２のレベルへ進み、上記第２のレベルは、上記リーダーフレーズとリンクした接続されたフレーズを含む、
ことを特徴とするシステム。
【請求項１３】  上記内容と関連するトピックスを含むトピカルライブラリを更に備え、上記テキスト処理システムは、上記トピカルライブラリにアクセスして上記トピックスを上記マルチレベルタクソノミ内に含むように動作可能であることを特徴とする請求項１２に記載のシステム。
【請求項１４】  上記テキスト処理システムは、上記タクソノミ内に第３のレベルを含むように動作可能であり、上記第３のレベルは、上記接続されたフレーズにリンクしたサブフレーズを含むことを特徴とする請求項１２に記載のシステム。
【請求項１５】  上記テキスト処理システムは、
上記内容内でフレーズを識別するように動作可能なパーザを備え、
上記フレーズ間のリンクを決定するように動作可能であるクラスタイザを更に備えることを特徴とする請求項１２に記載のシステム。
【請求項１６】  上記テキスト処理システムは、上記リンクしたフレーズを表示するように動作可能であるマップ発生器を更に備えることを特徴とする請求項１５に記載のシステム。
【請求項１７】  上記テキスト処理システムは、上記ユーザから上記内容を受け取ってそれに応答して上記マルチレベルタクソノミを出力するように動作可能であることを特徴とする請求項１２に記載のシステム。
【請求項１８】  命令が記憶された読出し可能な記憶媒体を備え、処理装置が上記命令を読み出して動作を実行する装置であって、上記命令は、
テキストを含む複数の文書を入力する第１コードセグメントと、
上記テキストからフレーズを抽出する第２コードセグメントと、
上記フレーズの間の接続を確立する第３コードセグメントと、
関連する多数の接続に基づいて上記フレーズの中からリーダーフレーズを定める第４コードセグメントと、
上記リーダーフレーズが第１のレベルに含まれるタクソノミを定める第５コードセグメントと、
を含むことを特徴とする装置。
【請求項１９】  上記第５コードセグメントは、上記タクソノミの第２のレベルにおいて上記第３コードセグメントによって上記リーダーフレーズに直接接続された二次フレーズを含むことを特徴とする請求項１８に記載の装置。
【請求項２０】  上記第５コードセグメントは、上記タクソノミの第３のレベルにおいて上記第３コードセグメントによって上記二次フレーズに直接接続された三次フレーズを含むことを特徴とする請求項１８に記載の装置。
【請求項２１】  上記第５コードセグメントは、上記文書の内容と関連するトピカルライブラリ内のトピックスにアクセスする第６コードセグメントを含み、上記第５コードセグメントは、上記リーダーフレーズを上記タクソノミ内の上記トピックスの１つと関連させることを特徴とする請求項１８に記載の装置。
【請求項２２】  上記タクソノミをマルチレベルタクソノミとして出力する第６コードセグメントを含み、上記マルチレベルタクソノミは、上記第１のレベルにおいて上記リーダーフレーズを含むと共に上記第１のレベルよりも下の第２のレベルにおいて上記リーダーフレーズに接続されたフレーズを含むことを特徴とする請求項１８に記載の装置。
【請求項２３】  上記リーダーフレーズのユーザ選択を受け取ってそれに応答して上記第２レベルのフレーズを提供する第７コードセグメントを含むことを特徴とする請求項２２に記載の装置。
【請求項２４】  上記第７コードセグメントは、上記第２レベルのフレーズの１つの更なるユーザ選択に応答して該選択された第２レベルのフレーズに対応する１つの文書を、上記複数の文書の中から出力する第８コードセグメントを含むことを特徴とする請求項２３に記載の装置。
【手続補正２】
【補正対象書類名】図面
【補正対象項目名】全図
【補正方法】変更
【補正の内容】
【図１】
2002541590.tif 000001
【図２】
2002541590.tif 000002
【図３】
2002541590.tif 000003
【図４】
2002541590.tif 000004
【図５】
2002541590.tif 000005
【図６】
2002541590.tif 000006
【図７】
2002541590.tif 000007
【図８】
2002541590.tif 000008
【図９】
2002541590.tif 000009